(57)【要約】【課題】複数の表示装置を通信可能に接続し、操作装置（リモコン等）の構成を複雑にすることなく、複数の表示装置を１つの操作装置で直感的に操作できるようにする。【解決手段】ＴＶ受像機１は、リモコン３からの操作信号を受信したときに操作信号が有効か無効かを判定する判定手段２３ａと、判定手段２３ａにより操作信号が有効と判定した場合、操作信号の内容を解析する操作信号解析手段２３ｂと、操作信号解析手段２３ｂによる解析結果に応じた操作内容を、ＴＶ受像機１と接続された他のＴＶ受像機に指示する操作内容指示手段２３ｃとを備える。他のＴＶ受像機は、操作内容指示手段２３ｃから指示された操作内容に従って動作する。【選択図】図２
2014064087.tif 000002
【特許請求の範囲】
【請求項１】
複数の表示装置が通信可能に接続された表示システムであって、
前記表示装置は、操作装置からの操作信号を受信したときに該操作信号が有効か無効かを判定する判定手段と、
該判定手段により前記操作信号が有効と判定した場合、該操作信号の内容を解析する操作信号解析手段と、
該操作信号解析手段による解析結果に応じた操作内容を、前記表示装置と接続された他の表示装置に指示する操作内容指示手段とを備え、
前記他の表示装置は、前記操作内容指示手段から指示された操作内容に従って動作することを特徴とする表示システム。
【請求項２】
請求項１に記載の表示システムにおいて、前記複数の表示装置の中の１つをマスタとし、それ以外をスレーブとして予め定めておき、前記マスタとなった表示装置は前記操作信号を有効と判定し、前記スレーブとなった他の表示装置は前記操作信号を無効と判定することを特徴とする表示システム。
【請求項３】
請求項２に記載の表示システムにおいて、前記マスタとなった表示装置及び前記スレーブとなった他の表示装置がいずれもスタンバイ状態にあるときに、前記マスタとなった表示装置が受信した操作信号について、前記操作信号解析手段による解析結果が電源オンであった場合、前記マスタとなった表示装置のみが電源をオンすることを特徴とする表示システム。
【請求項４】
請求項３に記載の表示システムにおいて、前記マスタとなった表示装置の電源がオンになった後に該マスタとなった表示装置が受信した操作信号について、前記操作信号解析手段による解析結果が複数画面表示であった場合、前記操作内容指示手段は、前記スレーブとなった他の表示装置に対して、音声をミュートした状態で電源をオンするように指示することを特徴とする表示システム。
【請求項５】
請求項４に記載の表示システムにおいて、前記スレーブとなった他の表示装置の電源がオンになった後に前記マスタとなった表示装置が受信した操作信号について、前記操作信号解析手段による解析結果が操作切換であった場合、前記マスタとなった表示装置が音声をミュートすると共に、前記操作内容指示手段は、前記スレーブとなった他の表示装置に対して、音声ミュートを解除し、前記表示装置の代わりにマスタとなるように指示することを特徴とする表示システム。
【発明の詳細な説明】
【技術分野】
【０００１】
本発明は、表示システムに関し、より詳細には、複数の表示装置を通信可能に接続した表示システムに関する。
【背景技術】
【０００２】
従来、チューナを２つ以上搭載し、画面を２つに分割して、別々の映像を独立して表示する所謂複数画面表示機能を備えたテレビ受像機が普及している。このような複数画面（ここでは２画面）表示機能としては、親画面の一部領域に子画面を被せて表示させるピクチャインピクチャ（ＰｉｎＰ）や、親画面とは別の領域に子画面を表示させるピクチャアウトピクチャ（ＰｏｕｔＰ）が知られている。
【０００３】
また、テレビ受像機の低価格化により、各部屋に１台設置するケースもめずらしくなく、１つの家庭に複数台のテレビ受像機があることが当たり前になってきた。ここで、２台のテレビ受像機を並べて使用することを想定する。同一メーカの製品の場合には、共通のリモコンコードを使用していることが多いため、一方のリモコンコードを変更し、２つのリモコンで操作することになる。あるいは、１つの学習リモコンにより操作することも考えられるが、この場合、操作対象機器をその都度切り換えて操作する必要がある。
【０００４】
また、２台のテレビ受像機を並べて使用する場合、一方のテレビは映像と音声を出力させ、他方のテレビは音声を消して映像のみを出力させ、必要に応じて音声を出力する側のテレビを入れ替えるといった使い方が考えられるが、これをリモコンで行おうとすると繁雑な操作が必要となる。
【０００５】
これに対して、例えば、特許文献１には、複数のテレビ受像機に関わる操作を一括指示する指示キーを有するキー入力部と、この指示キーの操作に対応して複数のテレビ受像機に対してそれぞれの操作信号を同時に送信する複数の送信部とを備えたリモコン装置が開示されている。具体的には、このリモコン装置には、親画面と子画面とを切り替える親／子切替キーが備えられる。この親／子切替キーを操作することにより、それまで親テレビで表示されていたチャンネルの番組を子テレビに表示させ、反対に、子テレビに表示されていたチャンネルの番組を親テレビに表示させる。
【先行技術文献】
【特許文献】
【０００６】
【特許文献１】特開平６−３３９０４１号公報
【発明の概要】
【発明が解決しようとする課題】
【０００７】
しかしながら、上記特許文献１に記載のリモコン装置は、複数のテレビ受像機それぞれの専用リモコンの送信部を当接させ、その各キーの操作により発信される操作信号を受信し、学習しておく必要がある。さらに、このリモコン装置は、親子のチャンネル操作等をそれぞれ指示するための親／子指示キーを備える必要があり、リモコンの構成が複雑なものになっていた。
【０００８】
本発明は、上述のごとき実情に鑑みてなされたもので、複数の表示装置を通信可能に接続し、操作装置（リモコン等）の構成を複雑にすることなく、複数の表示装置を１つの操作装置で直感的に操作できる表示システムを提供することを目的とする。
【課題を解決するための手段】
【０００９】
上記課題を解決するために、本発明の第１の技術手段は、複数の表示装置が通信可能に接続された表示システムであって、前記表示装置は、操作装置からの操作信号を受信したときに該操作信号が有効か無効かを判定する判定手段と、該判定手段により前記操作信号が有効と判定した場合、該操作信号の内容を解析する操作信号解析手段と、該操作信号解析手段による解析結果に応じた操作内容を、前記表示装置と接続された他の表示装置に指示する操作内容指示手段とを備え、前記他の表示装置は、前記操作内容指示手段から指示された操作内容に従って動作することを特徴としたものである。
【００１０】
第２の技術手段は、請求項１に記載の表示システムにおいて、前記複数の表示装置の中の１つをマスタとし、それ以外をスレーブとして予め定めておき、前記マスタとなった表示装置は前記操作信号を有効と判定し、前記スレーブとなった他の表示装置は前記操作信号を無効と判定することを特徴としたものである。
【００１１】
第３の技術手段は、第２の技術手段において、前記マスタとなった表示装置及び前記スレーブとなった他の表示装置がいずれもスタンバイ状態にあるときに、前記マスタとなった表示装置が受信した操作信号について、前記操作信号解析手段による解析結果が電源オンであった場合、前記マスタとなった表示装置のみが電源をオンすることを特徴としたものである。
【００１２】
第４の技術手段は、第３の技術手段において、前記マスタとなった表示装置の電源がオンになった後に該マスタとなった表示装置が受信した操作信号について、前記操作信号解析手段による解析結果が複数画面表示であった場合、前記操作内容指示手段は、前記スレーブとなった他の表示装置に対して、音声をミュートした状態で電源をオンするように指示することを特徴としたものである。
【００１３】
第５の技術手段は、第４の技術手段において、前記スレーブとなった他の表示装置の電源がオンになった後に前記マスタとなった表示装置が受信した操作信号について、前記操作信号解析手段による解析結果が操作切換であった場合、前記マスタとなった表示装置が音声をミュートすると共に、前記操作内容指示手段は、前記スレーブとなった他の表示装置に対して、音声ミュートを解除し、前記表示装置の代わりにマスタとなるように指示することを特徴としたものである。
【発明の効果】
【００１４】
本発明によれば、通信可能に接続された複数の表示装置のうち、１つをマスタ、その他をスレーブと定め、操作装置（リモコン等）からの操作信号に基づきマスタがスレーブを制御することにより、操作装置の構成を複雑にすることなく、複数の表示装置を１つの操作装置で直感的に操作することができる。
【図面の簡単な説明】
【００１５】
【図１】本発明の一実施形態に係る表示システムの構成例を示す図である。
【図２】図１に示すＴＶ受像機の構成例を示すブロック図である。
【図３】図２のＴＶ受像機に付属するリモコンの一例を示す外観図である。
【図４】マスタ／スレーブの設定方法の一例を説明するための図である。
【図５】本発明による他の実施形態を説明するための図である。
【図６】本発明による表示システムの動作例を説明するためのフロー図である。
【図７】本発明による表示システムの動作例を説明するためのフロー図で、図６のフローの続きである。
【発明を実施するための形態】
【００１６】
以下、添付図面を参照しながら、本発明の表示システムに係る好適な実施の形態について説明する。
【００１７】
図１は、本発明の一実施形態に係る表示システムの構成例を示す図で、図中、１，２は表示装置（以下、ＴＶ受像機で代表する）、３は操作装置（以下、リモコンで代表する）、４はＬＡＮ（Local Area Network）を示す。ＴＶ受像機１，２は、ＬＡＮ４を介して通信可能に接続されている。ＬＡＮ４としては、例えば、イーサネット（登録商標）を採用することができるが、通信形態は無線あるいは有線のいずれであってもよい。ＴＶ受像機１，２の基本的な内部構成は略同様であり、共通のリモコンコードを使用しているものとする。このため、いずれのＴＶもリモコン３によって操作することができる。なお、ＴＶ受像機１，２は画面サイズや筐体の形状など、外観的に異なっていても構わない。
【００１８】
図１に示すように、ＴＶ受像機１，２を横方向に並べて使用する場合を想定する。この場合、リモコン３によって両方のＴＶが同時に操作されてしまうことが起こり得る。このため、本発明では、ＬＡＮ４を介してＴＶ受像機１，２を通信可能に接続した状態で、いずれか一方をマスタ（親）、他方をスレーブ（子）として予め設定できるようにしている。これにより、ＴＶ受像機１，２がいずれもスタンバイ状態でリモコン３から操作信号を受信したときに、マスタとなったＴＶは操作信号を有効と判定し、スレーブとなったＴＶは操作信号を無効と判定することができる。このマスタ／スレーブの具体的な設定方法については後述の図４で説明する。このようにして、リモコン３により両方のＴＶが同時に操作されることがないようにしている。
【００１９】
本実施形態では、２台のＴＶを横方向に並べて２画面表示を行うシステム構成を例示して説明するが、３台以上のＴＶを接続しても同様の制御が可能であることは言うまでもない。また、上記システム構成による動作モードを、公知の「ＰｉｎＰモード」あるいは「ＰｏｕｔＰモード」と区別するために、「複数台／複数画面モード」と呼ぶものとする。
【００２０】
図１において、上記の「複数台／複数画面モード」でマスタとなったＴＶ（ここではＴＶ受像機１）は、映像及び音声の両方を出力するが、音声を出力していることがユーザ（視聴者）に分かるように、音声出力中であることを示す音声出力中アイコン１ａを表示させることが望ましい。なお、スレーブとなったＴＶは、音声ミュートの状態（消音状態）で映像のみを出力するため、音声出力中アイコンは非表示となる。
【００２１】
図２は、図１に示すＴＶ受像機１の構成例を示すブロック図である。図３は、図２のＴＶ受像機１に付属するリモコン３の一例を示す外観図である。なお、前述したように、図１のＴＶ受像機１とＴＶ受像機２とは略同様の内部構成を有しているものとする。
【００２２】
図２において、ＴＶ受像機１は、デジタル放送を受信する受信アンテナ１１と、デジタル放送の受信信号を選局するデジタルチューナ部１２と、選局されたデジタル放送のデータを復調するデジタル復調部１３とを備える。なお、衛星放送等の他の信号を受信するには、同様にアンテナ、チューナ、及び復調部などをＴＶ受像機１に設けるようにすればよい。
【００２３】
また、ＴＶ受像機１は、ＥＰＧ（電子番組表）データの抽出や、復調されたデータの分離を行う分離部（ＤＭＵＸ）１４と、分離されたデジタル放送のビデオデータをデコードしたり、ビデオ信号を静止画としてキャプチャするビデオデコード／キャプチャ部１５と、分離されたＥＰＧの処理や、ＯＳＤ（オン・スクリーン・ディスプレイ）の表示処理を行うＯＳＤ処理部１６とを備える。
【００２４】
また、ＴＶ受像機１は、分離されたオーディオデータをデコードするオーディオデコード部１７と、ビデオデコード／キャプチャ部１５からのビデオ信号とＯＳＤ処理部１６からのＥＰＧやＯＳＤとを組み合わせてからビデオ出力信号に変換するビデオ出力変換部１８と、オーディオデコード部１７からのオーディオデータを音声出力信号に変換するオーディオ出力変換部１９とを備える。
【００２５】
また、ＴＶ受像機１は、ビデオ出力変換部１８からのビデオ出力信号に基づき映像を表示するための液晶ディスプレイなどの表示部２０と、オーディオ出力変換部１９からの音声出力信号に基づき音声を出力するためのスピーカ２１と、リモコン３からのリモコン信号を受信するリモコン受光部２６と、ＬＡＮ（Local Area Network）やインターネット等のネットワーク網との通信制御を行う通信制御部２５とを備える。
【００２６】
また、ＴＶ受像機１は、ＴＶ受像機１の全体動作を制御するＣＰＵを含む制御部２３と、任意のアドレスを指定して読み書きすることが可能な半導体メモリであってＣＰＵの作業領域となって不揮発性メモリ２４に格納されたプログラムを読み出したり、処理中のデータを一時的に格納したりするＲＡＭ２２と、プログラムやＥＰＧデータ，ユーザデータなどの各種データが格納される書き換え可能な不揮発性メモリ２４とを備える。
【００２７】
また、図３に例示するリモコン３は、ＴＶ受像機１のオン／オフを操作する電源ボタン３１と、チャンネル番号を選択する操作を行うためのチャンネル選択ボタン（選局ボタン）３２と、チャンネル番号を上方向及び下方向に操作して選択するチャンネル上下ボタン３３と、地上デジタル放送（地上Ｄ），衛星放送（ＢＳ，ＣＳ）の間で受信する放送を切り換える放送切換ボタン３４と、外部接続機器を含めた入力ソースを切り換える入力切換ボタン３５と、ＥＰＧ等の電子番組表を表示する操作を行うための番組表表示ボタン３６と、現在受信中の番組に対する番組情報を表示する操作を行うための番組情報表示ボタン３７と、ＴＶ受像機１の各種設定を行うメニュー画面を表示する操作を行うためのメニュー画面表示ボタン３８と、メニューをはじめ設定時のカーソル位置の左右上下方向への移動操作や決定操作を行うための移動・決定ボタン３９と、各処理を終了させる操作を行う終了ボタン４０と、各処理を一つ前の段階に戻す操作を行う戻るボタン４１と、電子番組表を表示しているときの簡易操作用として設けられたカラーボタン４２とを備えている。
【００２８】
また、リモコン３は、ＴＶ受像機１，２による「複数台／複数画面モード」に移行するための複数画面表示ボタン４３と、ＴＶ受像機１，２の間で操作対象を切り換えるための操作切換ボタン４４とを備えている。
【００２９】
本発明の主たる目的は、複数の表示装置を通信可能に接続し、操作装置（リモコン等）の構成を複雑にすることなく、複数の表示装置を１つの操作装置で直感的に操作できるようにすることにある。このための構成として、図１，２に示すように、表示装置の一例であるＴＶ受像機１は、操作装置の一例であるリモコン３からの操作信号を受信したときに操作信号が有効か無効かを判定する判定手段２３ａと、判定手段２３ａにより操作信号が有効と判定した場合、操作信号の内容を解析する操作信号解析手段２３ｂと、操作信号解析手段２３ｂによる解析結果に応じた操作内容を、ＴＶ受像機１と接続された他のＴＶ受像機２に指示する操作内容指示手段２３ｃとを備える。ＴＶ受像機２は、操作内容指示手段２３ｃから指示された操作内容に従って動作する。
【００３０】
上記において、判定手段２３ａ、操作信号解析手段２３ｂ、及び操作内容指示手段２３ｃとしての機能は、制御部２３によって実現されるものとする。具体的には、これらの判定手段２３ａ、操作信号解析手段２３ｂ、及び操作内容指示手段２３ｃとしての機能を実現するためのプログラムが不揮発性メモリ２４に格納されており、制御部２３のＣＰＵが不揮発性メモリ２４からＲＡＭ２２へプログラムを読み出し、ＲＡＭ２２上で読み出したプログラムを実行する。
【００３１】
ここで、前述したように、複数のＴＶ受像機の中の１つをマスタとし、それ以外をスレーブとして予め定めておき、マスタとなったＴＶは、リモコンからの操作信号を有効と判定する。つまり、リモコンからの操作信号を受け付けて、操作信号に応じて動作するように制御される。また、スレーブとなったＴＶは、リモコンからの操作信号を無効と判定する。つまり、リモコンからの操作信号は無視し、これに反応しないが、マスタのＴＶからの指示は受け付け、これに従って制御される。
【００３２】
図４は、マスタ／スレーブの設定方法の一例を説明するための図である。ＴＶ受像機１，２ａ，２ｂは、ＬＡＮ４を介して通信可能に接続されている。ユーザは、マスタにしたいＴＶ（ここではＴＶ受像機１）に対して、リモコン３を用いて「複数台／複数画面モード」の設定操作を行う。例えば、ユーザがリモコン３の所定の操作ボタンを押下することにより、ＴＶ受像機１に、図４に示すような、相手機器選択画面１ｂを表示させる。この際、他のＴＶ受像機２ａ，２ｂがリモコン３からの操作信号を受信しない状態にすることが望ましい。例えば、ＴＶ受像機１と他のＴＶ受像機２ａ，２ｂとをある程度離した状態で設定を行うことが考えられる。あるいは、設定操作の間、他のＴＶ受像機２ａ，２ｂのリモコン受光部をテープ等の遮光部材で覆うようにしてもよい。
【００３３】
上記の相手機器選択画面１ｂには、ＬＡＮ４を介して接続されているＴＶのリストが選択可能に表示される。ここでは、ＴＶ受像機２ａ（ＴＶ２ａ），ＴＶ受像機２ｂ（ＴＶ２ｂ）がリスト表示されている。ユーザは、この相手機器選択画面１ｂに対して、リモコン３の移動・決定ボタン３９の「方向ボタン」を操作して、カーソルを移動させ、所望のＴＶにカーソルが当たった状態で、移動・決定ボタン３９の「決定ボタン」を押下すると、そのＴＶが選択状態となる。なお、図中のグレー部分（ＴＶ２ａの部分）は、カーソルが当たっていることを示し、ここではＴＶ２ａが選択状態とされる。
【００３４】
そしてさらに、ユーザは、リモコン３の移動・決定ボタン３９の「方向ボタン」を操作して、カーソルを選択決定１ｃに当てた状態で、移動・決定ボタン３９の「決定ボタン」を押下すると、選択状態が決定（確定）される。また、カーソルを選択解除１ｄに当てた状態で、移動・決定ボタン３９の「決定ボタン」を押下すると、全ての選択状態が解除される。本例では、ＴＶ受像機２ａが選択決定されたため、ＴＶ受像機１がマスタ、ＴＶ受像機２ａがスレーブとして設定される。このときの設定情報は、マスタのＴＶ受像機１からスレーブのＴＶ受像機２ａに送信され、ＴＶ受像機２ａは自身がスレーブに設定されたことを認識する。なお、ＴＶ受像機２ｂもスレーブにしたい場合には、ＴＶ受像機２ａと同様の設定を行えばよい。
【００３５】
上記設定が完了すると、マスタとなったＴＶ受像機１は、リモコン３からの操作信号を有効と判定し、操作信号に応じた動作を行うように制御される。また、スレーブとなったＴＶ受像機２ａは、リモコン３からの操作信号を無効と判定し、操作信号には反応しないが、マスタからの指示を受け付け、これに従って動作を行うように制御される。なお、図４の例では、ＴＶ受像機２ｂは選択されていないため、「複数台／複数画面モード」の対象にならない。この場合、ＴＶ受像機２ｂがリモコン３からの操作信号を誤って受信しないように、ＴＶ受像機１（及びＴＶ受像機２ａ）からある程度離した場所に設置しておくことが望ましい。
【００３６】
なお、マスタ／スレーブ設定を解除するためには、現在マスタになっているＴＶ受像機１に相手機器選択画面１ｂを再度表示させ、選択解除１ｄを押下して、全ての選択状態を解除すればよい。これにより、マスタ／スレーブの設定は解除され、以後、ＴＶ受像機１とテレビ受像機２ａはそれぞれ独立して動作する。
【００３７】
以下では、マスタ／スレーブの設定完了後の具体的な動作例について、図１のシステム構成に基づき説明する。なお、ＴＶ受像機１がマスタ、ＴＶ受像機２がスレーブに設定され、ＴＶ受像機１及びＴＶ受像機２共にスタンバイ状態にあるものとする。まず、ユーザがリモコン３を操作して、電源ボタン３１を押下すると、電源ボタン３１に対応する操作信号が送信される。この操作信号はマスタのＴＶ受像機１及びスレーブのＴＶ受像機２それぞれで受信される。そして、それぞれ受信した操作信号に対して、マスタのＴＶ受像機１は有効と判定し、スレーブのＴＶ受像機２は無効と判定する。そして、ＴＶ受像機１は、操作信号解析手段２３ｂにより、リモコン３からの操作信号の内容を解析し、解析結果が電源オンであると判定すると、自身の電源のみをオンする。すなわち、マスタのＴＶ受像機１の電源のみがオンされ、現在選局されているチャンネルの番組の映像及び音声が出力される。一方、スレーブのＴＶ受像機２はスタンバイ状態のままとなる。
【００３８】
次に、ユーザがリモコン３を操作して、選局ボタン３２を押下すると、選局ボタン３２に対応する操作信号が送信される。この操作信号はマスタのＴＶ受像機１及びスレーブのＴＶ受像機２それぞれで受信される。そして、それぞれ受信した操作信号に対して、マスタのＴＶ受像機１は有効と判定し、スレーブのＴＶ受像機２は無効と判定する。そして、ＴＶ受像機１は、操作信号解析手段２３ｂにより、リモコン３からの操作信号の内容を解析し、解析結果が選局指示であると判定すると、この選局指示に応じた選局動作を行う。
【００３９】
次に、ユーザがリモコン３を操作して、複数画面表示ボタン４３を押下すると、複数画面表示ボタン４３に対応する操作信号が送信される。この操作信号はマスタのＴＶ受像機１及びスレーブのＴＶ受像機２それぞれで受信される。そして、それぞれ受信した操作信号に対して、マスタのＴＶ受像機１は有効と判定し、スレーブのＴＶ受像機２は無効と判定する。そして、ＴＶ受像機１は、操作信号解析手段２３ｂにより、リモコン３からの操作信号の内容を解析し、解析結果が複数画面表示指示であると判定すると、操作内容指示手段２３ｃにより、スレーブのＴＶ受像機２に対して、音声をミュートした状態で電源をオンするように指示する。これにより、スレーブのＴＶ受像機２の電源がオンされ、音声ミュートの状態で、現在選局されているチャンネルの番組の映像のみが出力される。
【００４０】
ここで、ＴＶ受像機１，２により複数画面表示を行っている状態で、ユーザにより選局操作が行われた場合、マスタのＴＶ受像機１のみがこの選局操作に応じて選局を行う。このため、スレーブのＴＶ受像機２で選局を行う場合には、操作対象を切り換えることで対応する。
【００４１】
すなわち、ユーザがリモコン３を操作して、操作切換ボタン４４を押下すると、操作切換ボタン４４に対応する操作信号が送信される。この操作信号はマスタのＴＶ受像機１及びスレーブのＴＶ受像機２それぞれで受信される。そして、それぞれ受信した操作信号に対して、マスタのＴＶ受像機１は有効と判定し、スレーブのＴＶ受像機２は無効と判定する。そして、ＴＶ受像機１は、操作信号解析手段２３ｂにより、リモコン３からの操作信号の内容を解析し、解析結果が操作切換指示であると判定すると、音声をミュートすると共に、操作内容指示手段２３ｃにより、スレーブのＴＶ受像機２に対して、音声ミュートを解除し、ＴＶ受像機１の代わりにマスタとなるように指示する。これにより、以後、マスタ／スレーブの関係が逆となり、ＴＶ受像機１がスレーブ、ＴＶ受像機２がマスタとなる。つまり、リモコン３からの操作信号に対して、マスタのＴＶ受像機２は有効と判定し、スレーブのＴＶ受像機１は無効と判定する。
【００４２】
ここで、ＴＶ受像機１，２により複数画面表示を行っている状態で、ユーザがリモコン３の複数画面表示ボタン４３を再び押下すると、複数画面表示を終了する動作（ここでは２画面から１画面に戻す動作）を行う。すなわち、現在マスタとなっているＴＶ受像機２が、リモコン３からの操作信号を解析し、解析結果が複数画面表示終了指示であると判定すると、現在スレーブとなっているＴＶ受像機１に対して、電源をオフし、スタンバイ状態に移行するように指示する。これにより、マスタのＴＶ受像機２のみが映像及び音声を出力し、１画面表示の状態に戻すことが可能となる。なお、マスタがＴＶ受像機１、スレーブがＴＶ受像機２の場合でも同様であり、この場合、マスタのＴＶ受像機１のみが映像及び音声を出力する。
【００４３】
また、１台のマスタのＴＶに対して、２台以上のスレーブのＴＶが接続されている場合を想定する。上述のように、リモコン３からの操作切換指示により、マスタのＴＶは、スレーブのＴＶに対して操作切換を行うが、このとき、２台以上のスレーブのＴＶのうちのいずれのＴＶに操作切換を行なうか（すなわち、マスタにするか）を予め設定しておくことが望ましい。例えば、図４の相手機器選択画面１ｂで最上位にリスト表示されたＴＶをマスタとするように設定しておくことが考えられる。あるいは、マスタのＴＶがリモコン３からの操作切換指示を受信したときに、２台以上のスレーブのＴＶのリストを表示させ、この中から操作切換を行う（マスタにする）ＴＶをユーザに選択させるようにしてもよい。
【００４４】
図５は、本発明による他の実施形態を説明するための図である。本実施形態のＴＶ受像機１，２は、「複数台／複数画面モード」による複数画面表示を行っており、ＴＶ受像機１がマスタ、ＴＶ受像機２がスレーブとされる。マスタのＴＶ受像機１は、「１ｃｈ」の番組の映像及び音声を出力中であり、スレーブのＴＶ受像機２は、音声ミュートで「２ｃｈ」の番組の映像のみを出力中である。
【００４５】
まず、ユーザがリモコン３を操作して、選局ボタン３２の例えば「３ｃｈ」を押下すると、選局ボタン３２の「３ｃｈ」に対応する操作信号が送信される（Ｓ１）。そして、マスタのＴＶ受像機１は、リモコン３からの操作信号の内容を解析し、これが「３ｃｈ」への選局指示であると判定すると、「１ｃｈ」から「３ｃｈ」への選局を行うと共に、スレーブのＴＶ受像機２に対して、マスタのＴＶ受像機１で視聴していた「１ｃｈ」を選局するように指示する（Ｓ２）。この指示を受けて、スレーブのＴＶ受像機２は、「２ｃｈ」から「１ｃｈ」への選局を行う。
【００４６】
このように、「複数台／複数画面モード」で複数画面表示中に、選局操作があった場合に、マスタ側で視聴していた番組が、自動的にスレーブ側で表示されるように制御される。このため、これまで視聴していた番組の連続性を確保しながら、選局操作を行うことができる。
【００４７】
図６は、本発明による表示システムの動作例を説明するためのフロー図である。図７は、図６のフローの続きである。本例では、図１のシステム構成に基づいて説明する。なお、ＴＶ受像機１（ＴＶ１）がマスタ、ＴＶ受像機２（ＴＶ２）がスレーブに設定され、ＴＶ受像機１及びＴＶ受像機２共にスタンバイ状態にあるものとする。
【００４８】
まず、マスタのＴＶ受像機１は、リモコン３からの操作信号を解析し、解析結果が電源オンであるか否かを判定する（ステップＳ１１）。そして、ＴＶ受像機１は、解析結果が電源オンであると判定した場合（ＹＥＳの場合）、電源をオンし（ステップＳ１２）、また、解析結果が電源オンではないと判定した場合（ＮＯの場合）、リモコン３からの操作信号の受信待ち状態に移行する。
【００４９】
次に、電源がオンされたＴＶ受像機１は、リモコン３からの操作信号を解析し、解析結果が複数画面表示であるか否かを判定する（ステップＳ１３）。そして、ＴＶ受像機１は、解析結果が複数画面表示であると判定した場合（ＹＥＳの場合）、スレーブのＴＶ受像機２に対して、電源をオンするように指示し（ステップＳ１４）、この指示を受けてＴＶ受像機２は、音声ミュートで電源をオンする（ステップＳ１５）。また、ＴＶ受像機１は、解析結果が複数画面表示ではないと判定した場合（ＮＯの場合）、解析結果が選局であるか否かを判定する（ステップＳ１６）。
【００５０】
そして、ＴＶ受像機１は、ステップＳ１６において、解析結果が選局であると判定した場合（ＹＥＳの場合）、選局を行い（ステップＳ１７）、また、解析結果が選局ではないその他の処理と判定した場合（ＮＯの場合）、その他の処理を行う（ステップＳ１８）。
【００５１】
次に、図７に基づいて、ＴＶ受像機１，２が共に電源オンされ複数画面表示中における動作例について説明する。まず、ＴＶ受像機１は、リモコン３からの操作信号を解析し、解析結果が選局か否かを判定する（ステップＳ１９）。そして、ＴＶ受像機１は、解析結果が選局であると判定した場合（ＹＥＳの場合）、スレーブのＴＶ受像機２に対して、ＴＶ受像機１で視聴中のチャンネルの選局を指示し（ステップＳ２０）、この指示を受けてＴＶ受像機２は、ＴＶ受像機１から指示されたチャンネルを選局する（ステップＳ２１）。また、ＴＶ受像機１は、リモコン３からの選局指示に応じた選局を行う（ステップＳ２２）。なお、ステップＳ２０とステップＳ２２の順序はこれに限定されないものとする。これらステップＳ１９〜Ｓ２２までの一連の処理は、図５で説明した処理に対応する。
【００５２】
次に、ＴＶ受像機１は、リモコン３からの操作信号を解析し、解析結果が操作切換か否かを判定する（ステップＳ２３）。そして、ＴＶ受像機１は、解析結果が操作切換であると判定した場合（ＹＥＳの場合）、音声ミュートすると共に（ステップＳ２４）、スレーブのＴＶ受像機２に対して、音声出力を指示する（ステップＳ２５）。この指示を受けてＴＶ受像機２は、音声ミュートを解除し、映像と共に、音声を出力する（ステップＳ２６）。なお、ステップＳ２４とステップＳ２５の順序はこれに限定されないものとする。以後、ＴＶ受像機２がマスタ、ＴＶ受像機１がスレーブとなる。マスタ／スレーブの関係が逆になるのに伴い、ＴＶ受像機１の画面上に表示されている音声出力中アイコン１ａ（図１）は非表示となり、ＴＶ受像機２の画面上に音声出力中アイコンが表示される。
【００５３】
次に、ＴＶ受像機１は、リモコン３からの操作信号を解析し、解析結果が複数画面表示終了か否かを判定する（ステップＳ２７）。そして、ＴＶ受像機１は、解析結果が複数画面表示終了であると判定した場合（ＹＥＳの場合）、スレーブのＴＶ受像機２に対して、電源オフを指示し（ステップＳ２８）、この指示を受けてＴＶ受像機２は、電源をオフする（ステップＳ２９）。また、ＴＶ受像機１は、解析結果が複数画面表示終了ではなくその他の処理と判定した場合（ＮＯの場合）、その他の処理を行う（ステップＳ３０）。
【００５４】
なお、上記において、複数画面表示を終了した場合、マスタのＴＶ受像機１だけが映像及び音声を出力している状態となり、どのＴＶが音声を出力しているのかは明らかである。このため、音声出力中アイコン１ａ（図１）を非表示とすることが望ましい。
【００５５】
このように本発明によれば、複数台のＴＶを通信可能に接続し、ＴＶ間で操作指示を伝送することができるため、ユーザに対して、１つのリモコンであたかも複数画面機能を持つ１台のＴＶを操作しているような操作感を提供することが可能となる。
【符号の説明】
【００５６】
１，２，２ａ，２ｂ…ＴＶ受像機、１ａ…音声出力中アイコン、１ｂ…相手機器選択画面、１ｃ…選択決定、１ｄ…選択解除、３…リモコン、４…ＬＡＮ、１１…受信アンテナ、１２…デジタルチューナ部、１３…デジタル復調部、１４…分離部、１５…ビデオデコード／キャプチャ部、１６…ＯＳＤ処理部、１７…オーディオデコード部、１８…ビデオ出力変換部、１９…オーディオ出力変換部、２０…表示部、２１…スピーカ、２２……ＲＡＭ、２３…制御部、２３ａ…判定手段、２３ｂ…操作信号解析手段、２３ｃ…操作内容指示手段、２４…不揮発性メモリ、２５…通信制御部、２６…リモコン受光部、３１…電源ボタン、３２…チャンネル選択ボタン（選局ボタン）、３３…チャンネル上下ボタン、３４…放送切換ボタン、３５…入力切換ボタン、３６…番組表表示ボタン、３７…番組情報表示ボタン、３８…メニュー画面表示ボタン、３９…移動・決定ボタン、４０…終了ボタン、４１…戻るボタン、４２…カラーボタン、４３…複数画面表示ボタン、４４…操作切換ボタン。
【図１】
2014064087.tif 000003
【図２】
2014064087.tif 000004
【図３】
2014064087.tif 000005
【図４】
2014064087.tif 000006
【図５】
2014064087.tif 000007
【図６】
2014064087.tif 000008
【図７】
2014064087.tif 000009